(57)【要約】      （修正有）【課題】内部に溜まった水の抵抗を釣糸が受け難く構成する。【解決手段】竿管の前端部内側か後端部内側の少なくとも一方に釣糸案内用の釣糸ガイドリングＧを有する継合式の中通し釣竿であって、少なくとも一本の前記竿管１４の前記釣糸ガイドリングＧと竿管本体との間に、該釣糸ガイドリングの近傍の前側釣竿内部空間１４Ｋと後側釣竿内部空間１２Ｋとを連通させる流路Ｒを設けるよう構成する。【選択図】図２
2009284839.tif 000002
【特許請求の範囲】
【請求項１】
竿管の前端部内側か後端部内側の少なくとも一方に釣糸案内用の釣糸ガイドリングを有する継合式の中通し釣竿であって、
少なくとも一本の前記竿管の前記釣糸ガイドリングと竿管本体との間に、該釣糸ガイドリングの近傍の前側釣竿内部空間と後側釣竿内部空間とを連通させる流路を設けている
ことを特徴とする継合式中通し釣竿。
【請求項２】
前記釣糸ガイドリングを保持している保持部品が前記竿管本体に装着されており、前記流路は、該保持部品外周と前記釣糸ガイドリングの外周との間に設けられているか、該保持部品内周と前記釣糸ガイドリング外周との間に設けられているか、該保持部品外周と竿管本体内周との間に設けられている請求項１記載の継合式中通し釣竿。
【発明の詳細な説明】
【技術分野】
【０００１】
本発明は継合式中通し釣竿に関し、継合式では、振出式、並継式、逆並継式の何れも含まれる。
【背景技術】
【０００２】
中通し釣竿は、釣りの最中においては糸絡みが防止されて使い勝手が良いという利点を有する反面、釣糸が竿管内部を挿通しているため、竿管内部には水が溜まり易い。また、仕掛けを放出する投擲時に釣糸が竿管内面に直接に接触して強い抵抗を受けないように、竿管内部に釣糸ガイド用の螺旋状釣糸ガイドや環状の釣糸ガイドリングを設けている。下記２つの特許文献には竿管内部の螺旋状釣糸ガイドや環状の釣糸ガイドリングが開示されている。環状の釣糸ガイドリングは、振出式や並継式では各竿管の後端部に設けられており、逆並継式では、各竿管の先端部に設けられている。
【特許文献１】特開平９−１６８３５１号公報
【特許文献２】特開平１０−９４３４６号公報
【発明の開示】
【発明が解決しようとする課題】
【０００３】
上記釣糸ガイドの存在に起因して一旦竿管内部に入った水滴は排出され難く、竿管内部に溜まり易い。特に、竿管内面からの高さの高い釣糸ガイドである環状の釣糸ガイドリングの近傍に多く溜まり易い。即ち、釣竿の前側を傾斜状に立てて釣糸を巻き取っている状態では、釣糸から扱き取られた水滴は後方に流れて各竿管の継合部にまで流れ落ち、該継合部に存在する釣糸ガイドリングの直前に溜まる。釣竿の前側を下げて巻き取っている状態では、前方に流れて継合部の釣糸ガイドリングの直後に溜まる。また、釣糸は水で濡れているため、釣糸を巻き取ったり、投擲したりしていなくても、釣竿が傾斜していれば、釣糸を介して水滴が流れ、釣糸ガイドリング内面に接触して釣糸ガイドリングの前後に滴下することもある。更には、投擲する場合、釣竿が傾斜状に立っている間は、継合部釣糸ガイドリングの直前に水が溜まり、これに釣糸が接触して抵抗が大きくなる虞が高い。釣竿の前側が下がっている際は、継合部の釣糸ガイドリングの直後に水が溜まり、これに接触して抵抗が大きくなる虞が高い。このように、水滴が溜まっている状態で投擲すると、継合部における釣糸ガイドリング近傍に溜まった水に釣糸が接触して水抵抗を受け、釣糸が円滑に引き出されず、所望のポイントに投擲できない場合が生じる。
依って解決しようとする課題は、内部に溜まった水の抵抗を釣糸が受け難く構成した継合式中通し釣竿を提供することである。
【課題を解決するための手段】
【０００４】
第１の発明では、竿管の前端部内側か後端部内側の少なくとも一方に釣糸案内用の釣糸ガイドリングを有する継合式の中通し釣竿であって、少なくとも一本の前記竿管の前記釣糸ガイドリングと竿管本体との間に、該釣糸ガイドリングの近傍の前側釣竿内部空間と後側釣竿内部空間とを連通させる流路を設けていることを特徴とする継合式中通し釣竿を提供する。
竿管本体とは、ガイドリング等の部品を有する竿管から、こうした部品を除いた管状体のみをいう。
【０００５】
第２の発明では、前記釣糸ガイドリングを保持している保持部品が前記竿管本体に装着されており、前記流路は、該保持部品外周と前記釣糸ガイドリングの外周との間に設けられているか、該保持部品内周と前記釣糸ガイドリング外周との間に設けられているか、該保持部品外周と竿管本体内周との間に設けられている請求項１記載の継合式中通し釣竿を提供する。
【発明の効果】
【０００６】
第１の発明では、竿管の前後端部の何れかの端部の内側に釣糸ガイドリングを有するのであるから、これは竿管同士の継合部における釣糸ガイドリングであり、この釣糸ガイドリングと竿管本体との間に、該釣糸ガイドリングの近傍の前側釣竿内部空間と後側釣竿内部空間とを連通させる流路を設けているため、釣糸ガイドリングの前側又は後側の何れの側に溜まった水もこの流路を介して他側に流れるため、溜まった水の表面高さを下げる（径方向の、より外側に位置させる）ことができ、釣糸が接触する虞を防止できる。
【０００７】
第２の発明では、竿管本体に釣糸ガイドリングを接着固定させる場合と異なり、竿管本体に装着させる保持部品に釣糸ガイドリングを保持させる構造、即ち、小さな別部品である保持部品に保持させる構造のため、どこに流路を設けるにせよ、流路に誤って接着剤が流れ込んでその流路を潰す虞が少なく、釣糸ガイドリングの接着作業が容易に行える。
【発明を実施するための最良の形態】
【０００８】
以下、本発明を添付図面を用いて更に詳細に説明する。図１は、本発明に係る継式中通し釣竿の一例として、振出式中通し釣竿の側面図を示しており、図２はその一つの継合部とその前後とを併せた領域Ｚ２の拡大縦断面図、図３は図２の前側竿管のみを示す（ａ）図と、その矢視線Ｃ−Ｃによる横断面（ｂ）図とを示している。元竿１０と、第１中竿１２と、第２中竿１４と、穂持竿１６と、穂先竿１８とが、夫々、振出式に継ぎ合わされている。各竿管本体は、エポキシ樹脂等のマトリックス樹脂を炭素繊維等の強化繊維で強化した繊維強化樹脂製である。元竿１０の前方位置には、竿管内部に釣糸を導入する釣糸導入ガイド部１０Ｇが設けられている。
【０００９】
第１中竿１２と第２中竿１４との継合部ＴＺ付近の図である図２を参照する。夫々の竿管本体内面には、螺旋状の釣糸ガイド１２Ｇ，１４Ｇが設けられている。また、第２中竿１４の後端部には、環状の釣糸ガイドリングＧを保持した保持部品１４Ｈが当該竿管本体に対して螺着されている。なお本願では、この保持部品の外周側にＯリングＯＲを設けており、保持部品の螺着緩みを防止している。また、釣糸を竿管内の中心に案内するため、釣糸ガイドリングＧの内径は、当該継合部ＴＺ付近の前記螺旋状釣糸ガイド１４Ｇの内径よりも一段と小さく形成している。
【００１０】
上記保持部品１４Ｈには、釣糸ガイドリングＧの外周よりも径方向外側位置に、概ね長手方向に延伸した（厳密には後方側の下がった傾斜状である）適宜数の流路Ｒを設けている。この流路は保持部品の円周方向に均等に多く設けられているほど好都合である。その理由は、数が多いと、継ぎ合わせ時の第２中竿１４の円周方向位置に依存しないで常に流路の一つが、図２のように、重力方向の下側である下方に位置できるからである。この流路は、釣糸ガイドリングＧの近傍で前側の保持部品内面１４ＨＳが区画形成している前側釣竿内部空間１４Ｋと、釣糸ガイドリングＧ近傍で後側の第１中竿１２の内面１２Ｓが区画形成している後側釣竿内部空間１２Ｋとを連通している。
【００１１】
このため、前記保持部品内面１４ＨＳに溜まった水は、流路Ｒを介して後側釣竿内部空間１２Ｋ側に流れ去る。また、第１中竿１２の内面１２Ｓに溜まった水は、所定以上の高さになると、流路Ｒを介して前側釣竿内部空間１４Ｋ側に流れる。こうして、釣糸ガイドリングＧの前側近傍か後側近傍に溜まった水の水面高さを低くでき、釣糸が当該釣糸ガイドリングＧを挿通する際、釣糸が溜まった水に接触することによる水抵抗を低減できる。
【００１２】
図４は本願の第２形態例を図示し、逆並継式中通し釣竿の例であり、図２に対応し、継合部領域の拡大縦断面図である。図５の（ａ）図は図４の後側竿管のみを示し、（ｂ）図はその前端視（正面視）を図示している。第１中竿１２’の竿管本体の内面には螺旋状の釣糸ガイド１２Ｇが、第２中竿１４’の竿管本体の内面には螺旋状の釣糸ガイド１４Ｇが設けられている。また、第１中竿１２’の前端部には環状の釣糸ガイドリングＧが設けられている。
【００１３】
第１中竿の前端部内周に設けられ、釣糸ガイドリングＧの外周に隣接して長手方向に延伸した流路Ｒが円周方向に適宜数設けられている。流路の数は１箇所以上であればよく、この例では２箇所であり、３箇所以上を円周方向に均等間隔で配設してもよい。この例のように流路が１８０度離隔した２箇所の場合、第１中竿１２’を元竿に対して継ぎ合わせた際、その一方の流路Ｒの（円周方向）角度位置が、図１の元竿の釣糸導入ガイド部１０Ｇの位置する角度位置に対応位置するように、少なくとも第１中竿１２’の後方部外周に目印を設けておき、この目印を見ながら角度位置を合わせるとよい。この流路Ｒは、釣糸ガイドリングＧの近傍で前側の第２中竿１４’の内面１４Ｓが区画形成している前側釣竿内部空間１４Ｋと、釣糸ガイドリングＧ近傍で後側の第１中竿１２’の内面１２Ｓが区画形成している後側釣竿内部空間１２Ｋとを連通させている。
【００１４】
従って、２つの内の何れかの流路Ｒが重力方向の下方位置に位置している場合は、第２中竿内面１４Ｓに溜まった水は、所定以上の高さになると流路Ｒを介して後側釣竿内部空間１２Ｋ側に流れる。また、第１中竿１２’の内面１２Ｓに溜まった水は流路Ｒを介して前側釣竿内部空間１４Ｋ側に流れ去る。こうして、釣糸ガイドリングＧの前側近傍か後側近傍に溜まった水の水面高さを低くでき、釣糸が当該釣糸ガイドリングＧを挿通する際の釣糸が溜まった水に接触することによる水抵抗を低減できる。
【００１５】
図６は本願の第３形態例を図示し、図５に対応する図である。図５に示す第２形態例との相違は、流路Ｒが第１中竿１２”の竿管本体に設けられているのではなく、環状の釣糸ガイドリングＧの円形外周の一部を削り取った形状とすることで形成していることが異なる。即ち、釣糸ガイドリングの円形外周の一部を、１８０度離隔した角度位置で直線状に（円の弦で）切り取った形状としている。この場合も作用効果は、第２形態例の場合と同様である。
【００１６】
上記第３形態例の第１中竿１２”の竿管本体内周と釣糸ガイドリングＧの外周とが区画形成する流路Ｒは、第１形態例においても同様に適用できる。即ち、保持部品１４Ｈの内周と、端面視が図６の（ｂ）図のような形状に形成した釣糸ガイドリングＧの外周とで流路Ｒを区画形成することができる。
その他、竿管本体内周と、装着された保持部品の外周との間に流路を形成することもできる。
【００１７】
以上の他、並継式の中通し釣竿においても同様に構成できる。即ち、図４の釣竿の前後方向を逆にしたと考えればよい。図４においては、第１中竿１２’が後側であり、第２中竿１４’が前側であるが、第１中竿１２’を前側の竿管と考え、第２中竿１４’を後側の竿管と考える。作用効果や変形例等は他の形態例の場合と同様である。
また、以上は第１中竿と第２中竿との継合部における説明であるが、他の竿管同士の継合部においても同様に適用できる。
【産業上の利用可能性】
【００１８】
本発明は、振出式、並継式、逆並継式の各継式中通し釣竿に利用できる。
【図面の簡単な説明】
【００１９】
【図１】図１は本発明に係る継式中通し釣竿の第１形態例の側面図を示す。
【図２】図２は図１の領域の拡大縦断面図である。
【図３】図３は図２の前側竿管を示す図である。
【図４】図４は第２形態例を図示し、図２に対応する図である。
【図５】図５は図４の後側竿管を示す図である。
【図６】図６は第３形態例を図示し、図５に対応する図である。
【符号の説明】
【００２０】
１２                第１中竿
１２Ｋ              後側釣竿内部空間
１４                第２中竿
１４Ｈ              保持部品
１４Ｋ              前側釣竿内部空間
Ｇ                  （環状の）釣糸ガイドリング
Ｒ                  流路
【図１】
2009284839.tif 000003
【図２】
2009284839.tif 000004
【図３】
2009284839.tif 000005
【図４】
2009284839.tif 000006
【図５】
2009284839.tif 000007
【図６】
2009284839.tif 000008